(57)【要約】【課題】洗濯機の上方空間を有効利用できる洗濯機用多機能基台を提案する。【解決手段】洗濯機30を載置することができ、適宜位置には排水口34が設けられた所定厚みを有する基台10から成る。この基台10の左右横幅を洗濯機30の左右横幅よりも大きく形成する。当該基台10の少なくとも左右の両側部のそれぞれに支柱20又は板状部材を立設することができる立設部（溝条部12）を設ける。この立設部に立設された支柱20又は板状部材に棚板24設けることができる。前記立設部は前後方向に延びる溝条部12や孔部でよい。この立設部は基台10の後方縁部に設けることもできる。基台10の両側部に引出部材を設けて、その横幅を広狭自在に変更できるようにすることもできる。【選択図】図１
2017064334.tif 000002
【特許請求の範囲】
【請求項１】
洗濯機を載置することができ、適宜位置には排水口が設けられた所定厚みを有する基台から成り、
この基台の左右横幅を洗濯機の左右横幅よりも大きく形成し、
当該基台の少なくとも左右の両側部のそれぞれに支柱又は板状部材を立設することができる立設部を設け、この立設部に立設された前記支柱又は板状部材に物品載置部又は物品収納部を設けることができることを特徴とする洗濯機用多機能基台。
【請求項２】
前記立設部が前記基台の両側部に沿って前後方向に延びる溝条部から成り、この溝条部の内部に前記支柱の下端部を連結できる支柱支持部材を配設したことを特徴とする請求項１に記載の洗濯機用多機能基台。
【請求項３】
前記基台の奥側の側縁に沿って左右方向に更に立設部を設け、この立設部にも支柱又は板状部材を立設できるようにしたことを特徴とする請求項１に記載の洗濯機用多機能基台。
【請求項４】
前記基台の両側に基台の内部から外部に引き出すことのできる引出部材を設け、これらの両側の引出部材の上に洗濯機を載置することができ、且つ、これらの引出部材の両側部に前記立設部をそれぞれ設けたことを特徴とする請求項１乃至３の何れか１項に記載の洗濯機用多機能基台。
【請求項５】
前記排水口を基台の略中央部に設けた凹所内に設けたことを特徴とする請求項１乃至４の何れか１項に記載の洗濯機用多機能基台。
【発明の詳細な説明】
【技術分野】
【０００１】
本発明は、家庭用洗濯機を設置するための基台に関し、この基台を設備することにより、この基台に洗濯機を載置して防水パンの機能、かさ上げ機能、更には当該基台に複数本の支柱等を立設して、これらの支柱に棚板等を設備させ、洗濯機の上部空間を物品載置部等として有効利用を図ることができる多機能な基台に関するものである。
【背景技術】
【０００２】
本発明に関連する従来のものとしては、防水パンに設置して洗濯機の設置高さを少し上にすることのできるかさ上げ台や設置台とか、洗濯機の両側に脚部を配設してその上部に棚部を設けた乾燥機用の支持枠等が存在している。
【０００３】
下記特許文献１に記載の発明は、洗濯機を高位置に設置できて排水性能の改善を図るとともに、組立作業性が良くて安価に供し得る洗濯機の設置台を提供することを課題とするものである。  
【０００４】
その構成は、所定の高さを有する防水パンの対向する両側縁部の上に、２つの長尺状の受け部材を並列状態に配置し、これらの受け部材の上面に洗濯機の脚部を載置可能としたものであり、当該洗濯機を少し高位置に設置可能となるものである。
【０００５】
他方、下記特許文献２に記載の発明は、乾燥機用ユニット台の補強枠材に関するものであり、当該乾燥機用ユニット台の天板の下部に洗濯機を設置したときに、ユニット台に設けられたＸ字形の補強材に接触しないように設置できるようにすることをその課題としている。  
【０００６】
その構成は、乾燥機用ユニット台の左右の支柱の背面に各２個ずつ金具を取付け、その金具の背面側の最後面にＸ形状補強材を取付けることによって洗濯機の背面と接触しないように構成したものである。
【先行技術文献】
【特許文献】
【０００７】
【特許文献１】特開２００２−３５４８３号公報
【特許文献２】特開平５−３１２８６号公報
【発明の概要】
【発明が解決しようとする課題】
【０００８】
本発明においては、先ず洗濯機用防水パンの機能を兼ね備える基台であって、この基台を利用して、この基台に複数の支柱等を設置できるようにし、これらの支柱等に横桟又は棚板等を設置できるようにして、洗濯機の上部空間を物品載置部又は物品収納部とすることができるようにすることをその課題とする。
また、上記物品載置部等を支持する支柱等の各種の形態を創案し、またこれらの支柱等を立設するための構造、更には洗濯機の左右の横幅の相違にも対応できるものを創案することをその課題としている。
【０００９】
上記課題を解決するために、本発明においては、上記基台に支柱又は板状部材を設置するための構成を付加しているが、この構成を極めて簡易なものとして実現でき、更にはこの支柱の支持用部材を創案することも本発明の課題となる。
【課題を解決するための手段】
【００１０】
上記課題を解決するために、本発明の第１のものは、洗濯機を載置することができ、適宜位置には排水口が設けられた所定厚みを有する基台から成り、この基台の左右横幅を洗濯機の左右横幅よりも大きく形成し、当該基台の少なくとも左右の両側部のそれぞれに支柱又は板状部材を立設することができる立設部を設け、この立設部に立設された前記支柱又は板状部材に物品載置部又は物品収納部を設けることができることを特徴とする洗濯機用多機能基台である。
【００１１】
本発明の第２のものは、上記第１の発明において、前記立設部が前記基台の両側部に沿って前後方向に延びる溝条部から成り、この溝条部の内部に前記支柱の下端部を連結できる支柱支持部材を配設したことを特徴とする洗濯機用多機能基台である。
【００１２】
本発明の第３のものは、上記第１の発明において、前記基台の奥側の側縁に沿って左右方向に更に立設部を設け、この立設部にも支柱又は板状部材を立設できるようにしたことを特徴とする洗濯機用多機能基台である。
【００１３】
本発明の第４のものは、上記第１乃至第３の発明において、前記基台の両側に基台の内部から外部に引き出すことのできる引出部材を設け、これらの両側の引出部材の上に洗濯機を載置することができ、且つ、これらの引出部材の両側部に前記立設部をそれぞれ設けたことを特徴とする洗濯機用多機能基台である。
【００１４】
本発明の第５のものは、上記何れかの発明において、前記排水口を基台の略中央部に設けた凹所内に設けたことを特徴とする洗濯機用多機能基台である。
【発明の効果】
【００１５】
本発明の第１のものにおいては、その基台を所望の箇所に簡単に設置でき、この基台上に洗濯機を載置した状態で、当該洗濯機の左右の両側の側部に設けられた立設部に支柱や板状部材（パネル材）を設置することができ、これらの支柱や板状部材の上方部分に例えば横桟や棚板を設置して、洗濯機の上部空間に物品載置部又は物品収納部を形成することができるのである。
また、本発明においては、その基台が適宜厚みを有している関係上、洗濯機を多少上方位置に設置することができるような、かさ上げ効果をも有している。
【００１６】
本発明の第２のものにおいては、上記第１の発明において、支柱を設置するための構成をより具体化したものであり、立設部を基台の両側部に沿って前後方向に延びる溝条部から形成し、この溝条部内に支柱の下端部を連結できる別体の支柱支持部材を配設することができるようにしたものであり、立設部の具体化を図ったものであり、この支柱支持部材に支柱の下端部を連結して容易に設置できるようにしたものである。
【００１７】
本発明の第３のものにおいては、上記第１の発明において、支柱や板状部材を設置するための立設部を基台の奥側の側縁に沿って左右方向に更に設けたものである。
これにより、洗濯機の上方空間に設ける物品載置部等をより強い強度をもって支持し、形成することができることとなる。
【００１８】
本発明の第４のものにおいては、前記基台の両側に基台の内部から外部に引き出すことのできる引出部材を設けたために、その横幅を多少変更することができ、各種サイズの洗濯機に対応できるようにしたものである。
【００１９】
本発明の第５のものにおいては、排水口を基台の略中央部に設けた凹所内に設けたことにより、本発明に係る基台が防水パンの機能をも有することを明確にしたものである。
即ち、前記凹所の部分に排水口を設けたため、仮に排水が漏水しても当該凹所内に貯留して外部に溢れ出ないように構成したものである。
【図面の簡単な説明】
【００２０】
【図１】本発明に係る多機能基台、洗濯機及び前記基台に設置できる支柱と棚板についての分解説明図である。
【図２】本発明に係る基台の第１実施形態を図示する斜視説明図である。
【図３】本発明に係る支柱支持部材の一実施形態を示す斜視説明図である。
【図４】上記実施形態に係る支柱支持部材を基台の溝条部内に配設した状態を示す説明図である。
【図５】本発明に係る基台の第２実施形態を図示しており、その（Ａ）が平面図、その（Ｂ）が斜視図である。
【図６】上記第２実施形態に係る基台の一方の側部に２本の支柱を立設した状態を図示した説明図である。
【図７】本発明に係る基台の第３実施形態を図示する説明図である。
【図８】本発明に係る基台の第４実施形態を図示する説明図である。
【図９】本発明に係る基台の第５実施形態を図示しており、その（Ａ）が分解説明図、その（Ｂ）が全体斜視図である。
【発明を実施するための形態】
【００２１】
以下、添付の図面と共に本発明の実施形態について説明する。
図１は、本発明に係る多機能基台、洗濯機及び前記基台に設置できる支柱と棚板についての分解説明図である。
本発明に係る多機能基台（以下単に「基台」という。）１０は、平面視略矩形形状の適宜厚みを有する合成樹脂製のものから形成されている。
【００２２】
この基台１０の詳細な構成は後の図を用いて説明するが、この基台１０の左右の両側には、それぞれの側部に沿って前後方向に溝条部１２、１２を設けている。
この溝条部１２が本発明に係る支柱や板状部材を立設することができる立設部の一例である。
これらの溝条部１２、１２の内部に支柱２０の下端部を嵌合させ、立設させることができるのである。
【００２３】
この基台１０の左右の横幅は、洗濯機３０の左右の横幅よりも大きく、前記溝条部１２、１２は、洗濯機３０を基台１０の上に載置した際に、当該洗濯機３０の両側の外側に位置している。
これにより、支柱２０を適切に基台１０に設置することができるのである。
尚、この立設部としての溝条部１２に、パネル板等の板状部材を立設することも可能である。この実施例については後述する。
【００２４】
洗濯機３０の底面には４個の脚部３２が設けられており、これらの脚部３２が前記基台１０の上に乗るわけである。
当該４個の脚部３２が位置する基台１０の部位に滑り止めの構成・構造を設けるのも自由である。或いは、当該４箇所に少しの窪みを形成することも可能である。
【００２５】
基台１０の両側の溝条部１２、１２内に立設する支柱は、図では４本であるが、この本数も自由に設計することができ、これらの支柱２０、２０、…の上方部分には横桟２２や棚板２４を適宜数設けることができるのである。
これらの棚板２４により洗濯機３０の上部を物品載置部又はボックス形態の物品収納部とすることができる。
支柱２０の数や、その上方部に設ける横桟や棚板及び収納部は自由に設計変更することができる。
【００２６】
これによって、洗濯機３０の上方空間を有効利用することができることとなる。
尚、後に説明するが、基台１０の略中央部には凹所１４を設けており、この凹所１４に排水口３４が設けられ、洗濯機３０からの排水漏れ等を貯留できるように構成しており、この凹所１４が防水パンの機能を発揮できる。
【００２７】
図２は、本発明に係る基台の第１実施形態を図示する斜視説明図である。
この基台１０は、所定厚みを有する合成樹脂製のものからなり、平面視略矩形形状を有している。
図では左下側が前方部を右上側が後方部を示している。
【００２８】
この基台１０の前方部略中央から後方に向かって凹所１４が設けられ、この部分を利用して載置された洗濯機の底面部に手を挿入し、掃除等を行うことができる。
また、洗濯機の排水ホースを排水口３４に連結することができるし、この凹所１４は、水が溢れた際の貯留部として利用できる。
【００２９】
この凹所１４は、適宜必要に応じてその平面視形状や設ける位置を変更することが可能である。  
そして、この基台１０の左右両側のそれぞれには、上記した通り、溝条部１２、１２が立設部としてその側部に沿って前後方向に設けられている。
【００３０】
この溝条部１２内に支柱を立設することができるが、この溝条部１２の溝の深さは適宜自由に設計することができ、この溝部が貫通されていてもよい。
更に、この実施形態においては、基台１０の後方部の縁部に沿って左右方向に立設部としての溝条部１３を設けている。この溝条部１３は、設けずとも実施することができ、任意の構成要素である。
【００３１】
これらの立設部に追加して、溝条部１２、１３の内部に図３で説明する支柱支持部材を更に内設することができるのである。
図３は、本発明に係る支柱支持部材の一実施形態を示す斜視説明図である。
図４は、この支柱支持部材を基台の溝条部内に配設した状態を示す説明図である。
【００３２】
この支柱支持部材１５は、基礎部１６が横断面長方形の棒状のものから成り、この基礎部１６の平面視形状が基台１０の溝条部１２の平面視形状と略同一に形成され、前記溝条部１２の内部に収納できる。
基礎部１６には、３つの孔部１８が穿設され、また２つの筒状部１７が上方に突出するように設けられている。
【００３３】
これらの孔部１８と筒状部１７は、何れか一方のみであってもよく、両者を共に設けておくことも可能である。
この孔部１８には、支柱２０の下端部が嵌合できる。
前記筒状部１７には、支柱２０の下端部がその内部に嵌合できる。
この支柱支持部材１５の材質も合成樹脂製である。
【００３４】
以上の構成に基づき、支柱支持部材１５に適宜必要な本数の支柱を立設することができるのである。
図３に示したように、筒状部１７に支持部１９を設けるのも自由である。
この支柱支持部材１５を、図４に示した通り、基台１０の溝条部１２の内部に収納するのである。
【００３５】
この支柱支持部材１５は、図４では右側の溝条部１２内に収納した状態を図示しているが、この同じ支柱支持部材１５を図中左側の溝条部１２内にも収納するのである。
同様に、基台１０の奥側に設けた溝条部１３の内部にも長さは異なるが、同様の構成を有する支柱支持部材を収納することができる。
【００３６】
このようにして、立設部としての溝条部１２、１２及び溝条部１３に複数本の支柱を立設することができ、これらの複数本の支柱の上方に横桟や棚板等を組み合わせることにより、洗濯機の上方空間に物品載置部や収納部を形成することができることとなるのである。
【００３７】
図５は、本発明に係る基台の第２実施形態を図示しており、その（Ａ）が平面図、その（Ｂ）が斜視図である。
この第２実施形態に係る基台２５は、基本的には上記第１実施形態と同様であるが、支柱を立設するための立設部の構成が上記第１実施形態と異なる。
【００３８】
即ち、この第２実施形態においては、当該立設部が単なる孔部２７から形成されたものである。
この孔部２７に、図示はしていないが、支柱が立設されるのである。
この第２実施形態では、左右両側の側部のそれぞれに２個ずつの孔部２７を形成しているが、両側に最低１個ずつ設ければ、洗濯機の上方に物品載置部を設けることができる。
また、この孔部２７は、基台２５の奥側の側縁に複数設けることも可能である。
【００３９】
図６は、上記第２実施形態に係る基台の一方の側部に２本の支柱を立設した状態を図示した説明図である。
この図から解る通り、基台２５の側縁部の前後方向に２個の孔部を設け、この孔部に支柱２０の下端部を嵌合して立設することができる。
この支柱２０は、ステンレス製のものを利用しており、その下端部の孔部内への嵌合部には合成ゴム製の振動防止部材２８を設けて、洗濯機の回転振動の支柱への伝達を防止することができる。
【００４０】
図７は、本発明に係る基台の第３実施形態を図示する説明図である。
この第３実施形態に係る基台２６も、その基本形態は、上記第１及び第２実施形態と同様であり、立設部に支柱でなく、板状部材３２を基台２６の両側部のそれぞれに立設したものである。
【００４１】
立設部は、第１実施形態と同様に溝条部から形成することもできるし、或いは、基台２６の両側部にそって、上方に延長する円柱状の突起を複数本設けて、板状部材３２の下端面に設けた嵌合孔部に相互に嵌合させて立設させることもできる。
そして、これら板状部材３２、３２の上方部に棚板２４を設けて、物品載置部又は物品収納部とすることができる。
【００４２】
尚、この第３実施形態では、両側に一対の板状部材３２を設けたが、基台２６の奥側である後方側縁にも溝条部或いは円柱状突起等の立設部を設けて、適宜幅の板状部材を立設することも自由である。
この場合には、両側の板状部材３２、３２と後方側縁の板条部材とで棚板を支持することができるために高強度のものとして実施することができる。
【００４３】
更に、この板状部材３２、３２を利用したものにあっては、この板状部材３２、３２の間隔を洗濯機の左右長さに適合させ、洗濯機の側面部と板条部材３２との間隔を小さくすることにより、物品をそれらの間に落としてしまうという問題が防止される。
【００４４】
図８は、本発明に係る基台の第４実施形態を図示する説明図である。
この実施形態に係る基台３５は、その基台の両側部の端部から横方向に引き出すことができる引出部材３７がそれぞれ設けられている。
この引出部材３７は、ボックス形態を有し、その上面には洗濯機を載置できるものである。
【００４５】
この引出部材３７は、基台３５の内部に収納できるように出し入れすることができ、その左右の横方向長さを適宜変更することができる。
そして、この引出部材３５の両側縁部に立設部としての孔部２７が複数設けられている。
【００４６】
また、引出部材３７の左右の側端面の中央部には、細長穴３８が形成され、この引出部材３７を引き出す際に、指を引っ掛けるための引っ掛け部としている。
この細長穴３８は、図中左側の引出部材３７の側端面の中央部にも形成されている。
【００４７】
その他の構成は、上記実施形態のものと同様である。
即ち、基台３５の略中央部には凹所１４が設けられ、この凹所１４内に排水口３４が設けられている。
この第４実施形態により、各種異なる横幅を持つ洗濯機に適合するようにその基台３５の引出部材３７を適宜距離引き出して使用することができることとなるのである。
【００４８】
図９は、本発明に係る基台の第５実施形態を図示しており、その（Ａ）が分解説明図、その（Ｂ）が全体斜視図である。
この第５実施形態に係る基台４０は、基本的には上記の実施形態と同様であるが、その基台本体部４１の前面に前面カバー４２を設けたものである。
【００４９】
基台本体部４１の略中央には、平面視十文字形状の凹所１４が設けられ、この凹所に排水口３４が設けられ、この基台本体部４１の両側側縁部には孔部２７からなる立設部が複数設けられている。
【００５０】
そして、基台本体部４１の前面には、前面カバー４２が前面側から被覆できるように接合し、合体できる構成である。
この全面カバー４２の平面視形状は、両端部が後方側に折曲した略コ字形状を有するものである。
【００５１】
基台本体部４１は合成樹脂製であり、同様に前面カバー４２も合成樹脂製で、後者の前面カバー４２は、薄板状のものから形成されており、適宜弾性又は可撓性を有しているために容易に変形、合体することができるものである。
【００５２】
更に、この前面カバー４２の右端側には、電源コンセント用孔部４３を設け、これに対応する基台本体部４１の前面部にも電源コンセント用孔部４４を形成して、この部分に電源コンセントを設備させることができるように構成している。
この電源用コンセントを設ける位置は、基台の前面部又は側面部であってもよく、その設ける位置は自由に変更して実施することができる。
【００５３】
勿論、上記前面カバー４２は、突起部と孔部との係合、或いは螺子等の固定手段を用いて基台本体部４１に固定する構成を採用することもでき、前面カバー４２を基台本体部４１に固定する手段は自由に設計変更することができる。
以上のような前面カバー４２を備えることにより、本発明に係る基台の前面部からの凹所内への塵埃等の侵入を防止することができ、且つ、その外観を極めてスマートなものとして実施することが可能となるのである。
【００５４】
以上、本発明の実施形態について説明したが、本発明においては、以下の通り種々その形態を設計変更することができる。
まず、基台の平面視形状は、上記実施形態のように略矩形形状が基本であるが、その両側部は外側に膨出するような曲線で形成されていてもよい。
【００５５】
この基台の縦横サイズ、厚みは自由に設計変更することができる。
特に、その厚みは、載置される洗濯機のかさ上げ効果をも有する。
そして、本発明においては、上記基台の両側の側部に立設部をそれぞれ形成している点が特徴となっており、この立設部に支柱や板状部材を立設することができるものである。
【００５６】
従って、基台の左右の横幅は、洗濯機の左右の横幅よりも大きいサイズに形成されていることが必須要件となる。
更に、基台の奥側の縁部にも立設部を形成して、この立設部に支柱や板状部材を立設することも可能となる。
【００５７】
上記の各種実施形態においては、立設部として溝条部又は孔部、更には円柱状突起として例示したが、立設部としてはこれ以外のものであってもよく、支柱や板状部材を立設できるものであれば、どのような形態のものであってもよい。
上記円柱状突起を螺子棒として、支柱や板状部材を前記螺子棒に螺着できるように構成することもできる。
また、支柱を立設し、この支柱に板状部材に設けた貫通孔に適合させて板状部材を立設することも可能である。
【００５８】
また、基台の上面中央部に設けた凹所も適宜自由に設計変更することができる。
立設部の一例である上記溝条部内に収納できる支柱支持部材も適宜設計変更が可能であって、基礎部に設けた孔部の数又は筒状部の数も１つ以上、任意の数に設定することができる。
孔部と筒状部の両方を設けることもできるし、一方のみを設けて実施することもできる。
【００５９】
筒状部には、支柱の下端部を挿入するように嵌合させることもできるし、パイプから成る支柱の下端部の孔部内に筒状部を挿入して連結することもできる。
後者の場合には、筒状部は内部が充実したものであってもよい。即ち、丸棒状のものであってもよい。
この支柱支持部材は、前記側部と後方縁部の溝条部の何れのものの内部にも収納することができるものである。
【００６０】
勿論、この支柱支持部材を使用せずに、溝条部内に直接複数本の支柱を立設することも可能である。
支柱は、金属製のものを利用することが望ましいが、その材質は問わない。
板状部材の材質も自由であり、合成樹脂製や木製のものであってもよい。
また、複数の支柱や板状部材の上方部分に形成する横桟、棚板、及びボックス等の物品載置部又は物品収納部は、自由にこれらを配設することが可能である。
【００６１】
以上、本発明においては、簡易な構成からなる基台を用いて、これを洗濯機を設置する位置に設置し、この基台に洗濯機を載置した後、この基台に複数本の支柱や板状部材を立設することができ、これらの支柱や板状部材の上方部分に横桟や棚板等を配設して洗濯機の上方空間に物品載置部や物品収納部を簡単に形成することができることとなるのである。
【符号の説明】
【００６２】
１０、２５、２６、３５、４０  基台  
１２、１３  溝条部
１４  凹所
１５  支柱支持部材
１６  基礎部
１７  筒状部
１８  孔部
２０  支柱
２２  横桟
２４  棚板
２７  孔部
３０  洗濯機
３２  板状部材
３４  排水口
３７  引出部材
４２  前面カバー
４３  電源コンセント用孔部
【図１】
2017064334.tif 000003
【図２】
2017064334.tif 000004
【図３】
2017064334.tif 000005
【図４】
2017064334.tif 000006
【図５】
2017064334.tif 000007
【図６】
2017064334.tif 000008
【図７】
2017064334.tif 000009
【図８】
2017064334.tif 000010
【図９】
2017064334.tif 000011